(57)【要約】【課題】混変調歪みの発生を抑えることのできるネットワークケースを提供する。【解決手段】プラスおよびマイナスの入力端子２９と複数のスピーカユニット４０ａ、４０ｂとの間に設けられ、ローパスフィルタ２１ａおよびハイパスフィルタ２１ｂを内蔵する車載用のネットワークケース２０を、樹脂およびタングステンのハイブリット材で形成した。樹脂としてはがポリプロピレンが好適である。また、ネットワークケース２０の比重が４．０以上となるようにするのがよい。【選択図】        図２
2004187233.tif 000002
【特許請求の範囲】
【請求項１】
プラスおよびマイナスの入力端子と複数のスピーカユニットとの間に設けられ、ローパスフィルタおよびハイパスフィルタを内蔵する車載用のネットワークケースであって、
前記ネットワークケースが、樹脂およびタングステンのハイブリット材で形成されていることを特徴とするネットワークケース。
【請求項２】
前記樹脂がポリプロピレンであることを特徴とする請求項１に記載したネットワークケース。
【請求項３】
前記ホルダの比重が４．０以上であることを特徴とする請求項１に記載したネットワークケース。
【発明の詳細な説明】
【０００１】
【発明の属する技術分野】
本発明は、ネットワークケースに関する。
【０００２】
【従来の技術】
ネットワークケースとしては、従来より以下に記載するようなものが開示されている（例えば、特許文献１参照。）。
このネットワークケース２００は、プラス入力端子１０１ａおよびマイナス入力端子１０１ｂと、スピーカユニット１１０ａ、１１０ｂとの間に設けられている。ネットワークケース２００の内部には、低音用スピーカユニット１１０ａに接続されるローパスフィルタ１０２ａおよび、高音用スピーカユニット１１０ｂに接続されるハイパスフィルタ１０２ｂが収容されている。ローパスフィルタ１０２ａはコイルＬ１およびコンデンサＣ１を備え、ハイパスフィルタ１０２ｂはコンデンサＣ２とコイルＬ２を備えている。
【０００３】
なお、このネットワークケース２００では、ハイパスフィルタ１０２ｂと高音用スピーカユニット１１０ｂとの間に巻線形の信号経路長補正素子１０３が設けられている。これにより、プラス入力端子１０１ａからコイルＬ１を経て低音用スピーカユニット１１０ａまでのプラス側と、マイナス入力端子１０１ｂから低音用スピーカユニット１１０ａまでのマイナス側とを合わせた低音側の信号経路長と、プラス入力端子１０１ａから補正素子１０３を経て高音用スピーカユニット１１０ｂまでのプラス側と、マイナス入力端子１０１ｂから高音用スピーカユニット１１０ｂまでのマイナス側を合わせた高音側の信号経路長をほぼ同じにして、信号の伝達時間が同じになるようにしている。
【０００４】
【特許文献１】
特開平８−３３０９４号公報（第３頁、第１図）
【０００５】
【発明が解決しようとする課題】
ところで、前述のネットワークケース２００は、通常、樹脂を用いて形成されており、特に車載用のスピーカシステムに使用されている場合には、外部からの振動により、ネットワークケース２００の振動とローパスフィルタ１０２ａおよびハイパスフィルタ１０２ｂを構成している素子の振動が融合して混変調歪みが生じやすいという問題が生じる。
【０００６】
本発明が解決しようとする課題としては、上述した従来技術において生じる混変調歪みの発生という問題が一例として挙げられる。
【０００７】
【課題を解決するための手段】
請求項１に記載した本発明に係るネットワークケースは、プラスおよびマイナスの入力端子と複数のスピーカユニットとの間に設けられ、ローパスフィルタおよびハイパスフィルタを内蔵する車載用のネットワークケースであって、
前記ネットワークケースが、樹脂およびタングステンのハイブリット材で形成されていることを特徴とする。
【０００８】
【発明の実施の形態】
本発明に係わる実施の形態について図面に基づいて説明する。図２は本発明に係るネットワークケースの使用例を示すブロック図、図３はネットワークケースの内部を示す正面図、図４はネットワークケースの底面図である。
【０００９】
例えば、車載のステレオ装置２０においては、ＣＤ１１、ＭＤ１２、チューナ１３等の機器からの信号をアンプ１４により増幅して、それぞれ左右のネットワークケース２０，２０に送られる。ネットワークケース２０においては、ローパスフィルタ２１ａおよびハイパスフィルタ２１ｂによって信号を分割し、低音用のスピーカユニット４０ａおよび高音用のスピーカユニット４０ｂに信号が送られて音を発するようになっている。
【００１０】
このネットワークケース２０は矩形箱状をしており、前面が開口した筐体２２に蓋２３がネジ２４により取り付けられている。筐体２２の内部には基板２５が取り付けられており、この基板２５に、ローパスフィルタ２１ａおよびハイパスフィルタ２１ｂを構成する大形空芯コイル２６、コンデンサ２７、抵抗２８等が取り付けられている。
【００１１】
また、基板２５には、電源との入力端子２９、低音域、高音域の各スピーカユニットに接続するためのスピーカ端子３０ａ、３０ｂが設けられており、正面の蓋２３を嵌めた状態で外部に露出するように蓋２３に切欠き３１が設けられている、また、高音域を切り替えるトゥイーター感度切り替えスイッチ３２も基板２５に設けられており、切り替えスイッチ３２が正面に露出するように蓋２３に切欠き３３が設けられている。
【００１２】
従って、入力端子２９から信号が入力されると、ローパスフィルタ２１ａおよびハイパスフィルタ２１ｂによって信号が低音域と高温域に分割され、各々低音用スピーカユニット４０ａおよび高音用スピーカユニット４０ｂに伝達されて音を発する。
【００１３】
次に、ネットワークケース２０に高比重・高減衰材を用いた場合の応答について図を参照しながら説明する。なお、図５（Ａ）、（Ｂ）には、本発明に係るネットワークケース２０におけるインパルス応答波形およびインパルス応答が示されている。ネットワークケース２０を形成する高比重・高減衰材として、比重が４．０以上となるようなＡＢＳ（アクリロニトリル・ブタジエン・スチレン樹脂）を配合した樹脂／タングステンのハイブリット材を用いた。なお、樹脂としては、ポリプロピレンを用いるのが望ましい。
【００１４】
また、図６から図１１には、従来より使用されている種々の材質をネットワークケース２０に用いた場合のインパルス応答波形およびインパルス応答が示されている。すなわち、図６（Ａ）および（Ｂ）では比重０．９のＰＰ（ポリプロピレン）を用いた場合、図７（Ａ）および（Ｂ）では比重１．２のＡＢＳ（アクリロニトリル・ブタジエン・スチレン樹脂）を用いた場合、図８（Ａ）および（Ｂ）は比重２．７のアルミを用いた場合、図９（Ａ）および（Ｂ）では比重７．２の亜鉛を用いた場合、図１０（Ａ）および（Ｂ）は比重８．５の真鍮を用いた場合、図１１（Ａ）および（Ｂ）は比重１９．３のタングステンを用いた場合を示している。
【００１５】
以上説明したように、ネットワークケース２０を、樹脂／タングステンのハイブリット材により構成したので、従来のネットワークケース２０に比較して、高比重・高減衰であり、ネットワークケース２０とローパスフィルタやハイパスフィルタを構成する素子との振動が融合し難く、混変調歪みが生じにくい。また、樹脂としてポリプロピレンを用いることにより、引張り強度を高めるとともに、合金よりも軽量とできる。
【００１６】
ここで、絶縁素材である樹脂／タングステンのハイブリット材比重を４．０以上とすることにより、素子および基板２５による磁界への影響を無くして、安定した音質を得ることができる。
【００１７】
なお、本発明のネットワークケース２０は、前述した実施形態に限定されるものでなく、適宜な変形、改良等が可能である。
【図面の簡単な説明】
【図１】従来のネットワークケースを示す断面図である。
【図２】本発明に係るネットワークケースの使用例を示すブロック図である。
【図３】本発明に係るネットワークケースの正面図である。
【図４】図３中ＩＶ方向から見た底面図である。
【図５】本発明に係るネットワークケースのインパルス応答波形およびインパルス応答を示すグラフである。
【図６】材料にＰＰを用いたネットワークケースのインパルス応答波形およびインパルス応答を示すグラフである。
【図７】材料にＡＢＳを用いたネットワークケースのインパルス応答波形およびインパルス応答を示すグラフである。
【図８】材料にアルミを用いたネットワークケースのインパルス応答波形およびインパルス応答を示すグラフである。
【図９】材料に亜鉛を用いたネットワークケースのインパルス応答波形およびインパルス応答を示すグラフである。
【図１０】材料に真鍮を用いたネットワークケースのインパルス応答波形およびインパルス応答を示すグラフである。
【図１１】材料にタングステンを用いたネットワークケースのインパルス応答波形およびインパルス応答を示すグラフである。
【符号の説明】
１０  ネットワークケース
１８  入力端子
２１ａ  ローパスフィルタ
２１ｂ  ハイパスフィルタ
４０ａ、４０ｂ  スピーカユニット
【図１】
2004187233.tif 000003
【図２】
2004187233.tif 000004
【図３】
2004187233.tif 000005
【図４】
2004187233.tif 000006
【図５】
2004187233.tif 000007
【図６】
2004187233.tif 000008
【図７】
2004187233.tif 000009
【図８】
2004187233.tif 000010
【図９】
2004187233.tif 000011
【図１０】
2004187233.tif 000012
【図１１】
2004187233.tif 000013